(57)【要約】      （修正有）【課題】初期導入コストが増大する事態や交換後の開口面積が減少する事態を招来することなく、容易に、かつ安価な交換を可能とする。【解決手段】開口枠を構成する枠部材の外周部に設けた取付片を介して躯体３０に取付ネジ４０を締結させた後、取付ネジを覆うように外壁部材５０を設けて施工した引き違い窓を交換する方法であって、取付ネジによって締結された締結部分１４ＢＴが外壁部材によって構成される開口から外部に露出した状態で躯体に残るように取付片を切断し、既設の開口枠を除去する工程と、枠部材の外周部に、外壁部材によって構成される開口に収容可能となる取付片１４ＮＴを有した新たな開口枠１０′を外壁部材の開口から挿入し、この新たな開口枠の取付片を、躯体に残した取付片の締結部分に重ね合わせる工程と、これら重ね合わせた取付片と締結部分とを取付ネジ４１によって締結する工程とを含む。【選択図】図８
2010203072.tif 000002
【特許請求の範囲】
【請求項１】
枠部材を四周枠組みして構成した開口枠と、この開口枠の内部に配設した障子とを備え、それぞれの枠部材の外周部に設けた取付片を介して躯体に締結部材を締結させた後、この締結部材を覆うように外壁部材を設けて施工した建具を交換する方法であって、
前記締結部材によって締結された締結部分が外壁部材によって構成される開口から外部に露出した状態で躯体に残るように取付片を切断し、既設の開口枠を除去する工程と、
それぞれ枠部材の外周部に、前記外壁部材によって構成される開口に収容可能となる取付片を有した新たな開口枠を当該外壁部材の開口から挿入し、この新たな開口枠の取付片を、躯体に残した取付片の締結部分に重ね合わせる工程と、
これら重ね合わせた取付片と締結部分とを締結部材によって締結する工程と
を含むことを特徴とする建具の交換方法。
【請求項２】
枠部材を四周枠組みして構成した開口枠と、この開口枠の内部に配設した障子とを備え、それぞれの枠部材の外周部に設けた取付片を介して躯体に締結部材を締結させた後、この締結部材を覆うように外壁部材を設けて施工した建具であって、
前記枠部材の取付片は、躯体から取り外す際の切断位置を指示する取外切断指示部を有し、かつ前記取外切断指示部は、取付片をここで切断した場合に躯体に締結された締結部分が外壁部材によって構成される開口から外部に露出した状態で残る位置を指示するものであることを特徴とする建具。
【請求項３】
前記取外切断指示部は、取付片の表面に溝を設けることによって構成したことを特徴とする請求項２に記載の建具。
【請求項４】
前記枠部材の取付片は、前記取外切断指示部よりも外周側となる部位に、厚肉に構成した締結指示部を有したことを特徴とする請求項２に記載の建具。
【請求項５】
前記枠部材の取付片は、前記取外切断指示部よりも外周側となる部位に、ここで切断した場合に外壁部材によって構成される開口に収容可能となる収容切断指示部を有したことを特徴とする請求項２に記載の建具。
【発明の詳細な説明】
【技術分野】
【０００１】
本発明は、建具の交換方法及び建具に関する。
【背景技術】
【０００２】
建物に適用されるサッシ窓等の建具は、躯体の開口部に設けられる開口枠と、この開口枠の内部に配設されるガラス窓等の障子を備えている。開口枠は、上枠部材、下枠部材及び左右一対の縦枠部材を四周枠組みすることによって構成されたもので、それぞれ「ひれ」と称される取付片を介して柱や窓台、まぐさ等の躯体にネジを締結することにより取り付けられているのが一般的である。
【０００３】
開口枠を取り付けた後においては、外壁部材によって取付片と躯体との締結部を覆い、さらに枠部材との間をコーキング剤によって埋めることにより、サッシ窓の外観品質を向上させるとともに、耐候性を確保するようにしている。
【０００４】
ところで、例えば引き違い窓を滑り出し窓に変更する等、既設の障子を交換しようとする要求に対しては、単に障子を変更するだけで対応することができず、それぞれの障子に対応した開口枠をも交換する必要がある。
【０００５】
しかしながら、上記のように外壁部材によって取付片と躯体との締結部を覆うように施工したサッシ窓の場合、取付片と躯体との締結を解除するにはサッシ窓周囲の外壁部材を取り壊さなければならない。すなわち、サッシ窓の交換作業に際しては、外壁部材の再施工も必要となり、施工期間の長大化や煩雑化を招来するばかりでなく、再施工コストが著しく増大することになる。
【０００６】
また、昨今においては、１００年住宅や２００年住宅等のように、１軒の住宅を補修しながら長期間に亘って住み続けようとする構想が掲げられている。サッシ窓に関しても補修の対象であり、障子の交換を目的とするもののみならず、上述した構想を具現化する上でもサッシ窓を如何に容易に、かつ安価に交換できるかが重要な課題となる。
【０００７】
このため従来では、躯体に対してＬ字状を成す支持片を取り付け、さらにこの支持片に対して枠部材を着脱可能に支持させるものが提供されている（例えば、特許文献１参照）。また、障子を取り外した後の既設の開口枠にリフォーム用の開口枠を取り付け、さらにこのリフォーム用開口枠に障子を配設するようにしたものも提供されている（例えば、特許文献２参照）。
【先行技術文献】
【特許文献】
【０００８】
【特許文献１】特開２００２−２４２５４０号公報
【特許文献２】特開２００１−８２０３１号公報
【発明の概要】
【発明が解決しようとする課題】
【０００９】
しかしながら、特許文献１に記載のものでは、通常のサッシ窓に対して部品点数が増大することになり、初期の導入コストが高くなるのは否めない。一方、特許文献２に記載のものでは、躯体に対して開口枠が二重に構成されることになり、新たなサッシ窓の開口面積が減少する事態を招来することになる。
【００１０】
本発明は、上記実情に鑑みて、初期導入コストが増大する事態や交換後の開口面積が減少する事態を招来することなく、容易に、かつ安価な交換を可能とする建具の交換方法及び建具を提供することを目的とする。
【課題を解決するための手段】
【００１１】
上記目的を達成するため、本発明に係る建具の交換方法は、枠部材を四周枠組みして構成した開口枠と、この開口枠の内部に配設した障子とを備え、それぞれの枠部材の外周部に設けた取付片を介して躯体に締結部材を締結させた後、この締結部材を覆うように外壁部材を設けて施工した建具を交換する方法であって、前記締結部材によって締結された締結部分が外壁部材によって構成される開口から外部に露出した状態で躯体に残るように取付片を切断し、既設の開口枠を除去する工程と、それぞれ枠部材の外周部に、前記外壁部材によって構成される開口に収容可能となる取付片を有した新たな開口枠を当該外壁部材の開口から挿入し、この新たな開口枠の取付片を、躯体に残した取付片の締結部分に重ね合わせる工程と、これら重ね合わせた取付片と締結部分とを締結部材によって締結する工程とを含むことを特徴とする。
【００１２】
また、本発明に係る建具は、枠部材を四周枠組みして構成した開口枠と、この開口枠の内部に配設した障子とを備え、それぞれの枠部材の外周部に設けた取付片を介して躯体に締結部材を締結させた後、この締結部材を覆うように外壁部材を設けて施工した建具であって、前記枠部材の取付片は、躯体から取り外す際の切断位置を指示する取外切断指示部を有し、かつ前記取外切断指示部は、取付片をここで切断した場合に躯体に締結された締結部分が外壁部材によって構成される開口から外部に露出した状態で残る位置を指示するものであることを特徴とする。
【００１３】
また、本発明に係る建具は、上述した建具において、前記取外切断指示部は、取付片の表面に溝を設けることによって構成したことを特徴とする。
【００１４】
また、本発明に係る建具は、上述した建具において、前記枠部材の取付片は、前記取外切断指示部よりも外周側となる部位に、厚肉に構成した締結指示部を有したことを特徴とする。
【００１５】
また、本発明に係る建具は、上述した建具において、前記枠部材の取付片は、前記取外切断指示部よりも外周側となる部位に、ここで切断した場合に外壁部材によって構成される開口に収容可能となる収容切断指示部を有したことを特徴とする。
【発明の効果】
【００１６】
本発明によれば、取付片を切断することによって外壁部材を取り壊すことなく既設の建具を取り外すことが可能となり、外壁部材の再施工に伴う施工期間の長大化や煩雑化する事態を招来することがない。しかも、切断によって既設の開口枠を除去するのであるから部品点数が増大することもなく、また重ね合わせるのが枠部材の取付片であるから新たな建具の開口面積が減少する事態を招来する恐れもない。
【図面の簡単な説明】
【００１７】
【図１】図１は、本発明の実施の形態である建具の横断面図である。
【図２】図２は、図１に示した建具の縦断面図である。
【図３】図３は、図１に示した建具の要部拡大横断面図である。
【図４】図４は、図３に示した建具において外壁部材との間のコーキング剤を除去した状態を示す要部拡大横断面図である。
【図５】図５は、図４に示した状態から取付片を切断した後に外壁部材の開口から開口枠を除去する状態を示す要部拡大横断面図である。
【図６】図６は、図５に示した状態から新たな建具を外壁部材の開口から挿入した状態を示す要部拡大横断面図である。
【図７】図７は、躯体に残した締結部分を介して新たな建具の開口枠を躯体に取り付けた状態を示す要部拡大横断面図である。
【図８】図８は、新たな建具の要部拡大横断面図である。
【図９】図９は、本発明の建具の変形例を示す横断面図である。
【図１０】図１０は、図９に示した建具の縦断面図である。
【図１１】図１１は、本発明の建具の別の変形例を示す横断面図である。
【図１２】図１２は、図１１に示した建具の縦断面図である。
【発明を実施するための形態】
【００１８】
以下、添付図面を参照しながら本発明に係る建具の交換方法及び建具の好適な実施の形態について詳細に説明する。
【００１９】
図１は、本発明の実施の形態である建具を示した横断面図、図２は、その縦断面図である。ここで例示する建具は、開口枠１０と左右２枚のガラス窓（障子）２０とを備え、開口枠１０に対して２枚のガラス窓２０を左右方向にスライドさせて開閉する、いわゆる「引き違い窓１」と称されるサッシ窓である。
【００２０】
開口枠１０は、上枠部材１１、下枠部材１２及び左右一対の縦枠部材１３を四周枠組みすることによって構成したもので、それぞれの外周部に取付片１４を有している。取付片１４は、それぞれの枠部材１１，１２，１３の外周面から外方に向けて延在した薄板状部分であり、図３の拡大図に示すように、第１締結指示部１４ａ、取外切断指示部１４ｂ、第２締結指示部１４ｃ及び収容切断指示部１４ｄを有している。
【００２１】
第１締結指示部１４ａは、開口枠１０を躯体３０である柱３１、窓台３２、まぐさ３３に締結する際にネジを挿通させる部位を示すためのものである。この第１締結指示部１４ａは、例えば取付片１４の適宜箇所にネジ挿通孔を形成することによって構成したもので、取付片１４において最も外周側となる部位に設けてある。
【００２２】
取外切断指示部１４ｂ及び収容切断指示部１４ｄは、取付片１４を切断する場合の位置を示すためのものである。取外切断指示部１４ｂは、例えば取付片１４を躯体３０に締結した際の表面となる部位に一条の溝を形成することによって構成したもので、取付片１４において最も内周側となる部位の全周に設けてある。収容切断指示部１４ｄは、例えば取付片１４の裏面となる部位に一条の溝を形成することによって構成したもので、第１締結指示部１４ａよりも内周側、かつ取外切断指示部１４ｂよりも外周側となる部位の全周に設けてある。
【００２３】
第２締結指示部１４ｃは、この開口枠１０を交換後の新たな引き違い窓１として適用する場合にネジを締結する部位を示すためのものである。この第２締結指示部１４ｃは、取付片１４の表面に一条の溝を形成するとともに、取付片１４の裏面において溝を含む幅広部分を厚肉に形成することによって構成したもので、取外切断指示部１４ｂと収容切断指示部１４ｄとの間となる部位の全周に設けてある。
【００２４】
尚、本実施の形態では、上枠部材１１、下枠部材１２及び左右一対の縦枠部材１３として、それぞれアルミニウムやその合金の押出形材を適用している。上述した取付片１４の取外切断指示部１４ｂ、第２締結指示部１４ｃ及び収容切断指示部１４ｄに関しては、押出成形の際にそれぞれを同時に成形している。第１締結指示部１４ａに関しては、押出成形した後にネジ挿通孔を個別に設けることによって構成している。
【００２５】
２枚のガラス窓２０は、図１〜図３に示すように、それぞれ上框部材２１、下框部材２２及び左右一対の縦框部材２３を四周框組みすることによって構成した框の内部にガラス板２４を保持したもので、開口枠１０の内部に左右方向に沿ってスライド可能に配設してある。尚、図中の符号２５は、ガラス窓２０の框において最も室外側に位置する部位に設けた網戸である。
【００２６】
上記のように構成した引き違い窓１は、それぞれの取付片１４の第１締結指示部１４ａを介して、躯体３０である柱３１、窓台３２、まぐさ３３にそれぞれ取付ネジ（締結部材）４０を締結させることによって開口枠１０が建物に取り付けられることになる。
【００２７】
開口枠１０を取り付けた後においては、取付片１４の外周部分を覆うように外壁部材５０を配設する。より詳細には、図１〜図３に示すように、それぞれ引き違い窓１に近接した先端部によって第１締結指示部１４ａ及びこれに締結した取付ネジ４０を覆う一方、各取付片１４の第２締結指示部１４ｃが外部に露出するように外壁部材５０の施工を行う。
【００２８】
さらに外壁部材５０の先端面５１と開口枠１０との間をコーキング剤６０によって埋めることにより、引き違い窓１の施工が終了する。
【００２９】
上記のように取り付けられた引き違い窓１は、取付片１４と躯体３０との締結部である第１締結指示部１４ａ及び取付ネジ４０が外壁部材５０によって覆われるため、さらに外壁部材５０の先端面５１と開口枠１０との間隙がコーキング剤６０によって塞がれるため、外観品質が向上するとともに、所望の耐候性が確保されることになる。
【００３０】
一方、上記のようにして取り付けた引き違い窓１を長期間に亘って使用し、補修を目的としてこれを交換する場合には、図４に示すように、まず、開口枠１０と外壁部材５０の先端面５１との間に充填したコーキング剤６０を除去する。コーキング剤６０を除去する場合には、例えばカッター等の工具を用いて切除すればよい。
【００３１】
次いで、開口枠１０からガラス窓２０を取り外した後、図５に示すように、取付片１４をそれぞれ取外切断指示部１４ｂにおいて切断する。この状態においては、開口枠１０において取付片１４ＣＴの最外周位置が外壁部材５０の先端面５１よりも内方側となる。従って、そのまま開口枠１０を屋外側（図５において上方）に引き抜けば、外壁部材５０を取り壊すことなくその開口５２から開口枠１０を取り外すことが可能となる。
【００３２】
同図５に示すように、開口枠１０を取り外した後においては、躯体３０である柱３１、窓台３２、まぐさ３３のそれぞれに取付ネジ４０によって締結された取付片１４の締結部分１４ＢＴが残存する。柱３１やまぐさ３３に関しては外壁部材５０によって覆われた状態となるものの、それぞれの締結部分１４ＢＴは、外壁部材５０の先端面５１よりも突出し、外壁部材５０によって構成される開口５２から第２締結指示部１４ｃを外部に露出させた状態に配置される。
【００３３】
次いで、外壁部材５０によって構成される開口５２に対して挿入可能となる寸法の新たな引き違い窓１′を用意する。新たな引き違い窓１′としては、当初から上記の条件を満足するものを製作して適用しても良いが、本実施の形態では、先に取り付けた引き違い窓１と同じものを用意し、それぞれの枠部材１３′の取付片１４を収容切断指示部１４ｄにおいて切断することにより新たな引き違い窓１′として適用している。すなわち、収容切断指示部１４ｄにおいて切断した取付片１４ＮＴは、最外周位置に第２締結指示部１４ｃが設けられたものとなり、外壁部材５０を取り壊すことなく開口５２の内部に収容することが可能となる。
【００３４】
尚、収容切断指示部１４ｄにおいて切断した取付片１４ＮＴの寸法は、必ずしも上下左右のすべてが外壁部材５０の開口５２よりも小さく構成する必要はない。例えば、本実施の形態の場合、図２に示すように、上下方向の寸法に関しては、外壁部材５０の開口５２よりも最大寸法が小さく構成されるため、新たな引き違い窓１′の開口枠１０をそのまま挿入することが可能である。これに対して図１及び図６に示すように、左右方向の寸法に関しては、外壁部材５０の開口５２よりも最大寸法が僅かに大きく構成されるが、一方の取付片１４を先に外壁部材５０と柱３１との間に挿入させ、その後に他方の取付片１４を外壁部材５０と柱３１との間に挿入させることで、外壁部材５０の開口５２に挿入することが可能となる。
【００３５】
上記のようにして外壁部材５０の開口５２から内部に挿入された新たな引き違い窓１′は、図６に示すように、取付片１４ＮＴの第２締結指示部１４ｃが、既設の締結部分１４ＢＴに設けられた第２締結指示部１４ｃと重なることになる。従って、互いに取付片１４ＮＴ及び締結部分１４ＢＴが重ね合わされた状態において、新たな引き違い窓１′の取付片１４ＮＴに構成された第２締結指示部１４ｃから取付ネジ（締結部材）４１を複数箇所において螺合させれば、図７に示すように、両者が互いに連結され、新たな引き違い窓１′の開口枠１０′が既設の締結部分１４ＢＴを介して躯体３０に支持されることになる。最後に、外壁部材５０の先端面５１と開口枠１０との間にコーキング剤６０を充填すれば、図８に示すように、新たな引き違い窓１′の施工が終了する。この場合、既設の締結部分１４ＢＴと新たな引き違い窓１′の取付片１４とは、互いに厚肉に構成した第２締結指示部１４ｃ，１４ｃを介して連結されるため、強度的に問題となる恐れはない。
【００３６】
上記のような交換方法によれば、既設された引き違い窓１の取付片１４を切断するようにしているため、外壁部材５０を取り壊すことなくこれを取り外すことが可能となる。従って、外壁部材５０の再施工に伴う施工期間の長大化や煩雑化する事態を招来することがない。しかも、引き違い窓１には、単に溝や厚肉となる取外切断指示部１４ｂ及び第２締結指示部１４ｃを形成しておけば良く、交換のために新たな部品を設けておく必要がないため、部品点数の増大に起因したコストに関する問題を招来することもない。さらに、既設された引き違い窓１に対して新たな引き違い窓１′は、開口枠１０から切断して残った取付片１４の締結部分１４ＢＴと、新たな開口枠１０′の取付片１４ＮＴとを互い面を重ね合わせた構成となるため、その開口面積が制限されることもない。
【００３７】
尚、上述した実施の形態では、補修を目的として引き違い窓１を新たな引き違い窓１′に交換する方法について説明したが、本発明ではこれに限定されない。例えば、図１及び図２に示した引き違い窓１のみならず、図９及び図１０に示したすべり出し窓（建具）７０や図１１及び図１２に示した開き戸（建具）８０においてもそれぞれの開口枠７１，８１の取付片１４に取外切断指示部１４ｂ及び第２締結指示部１４ｃを設けておけば、これら引き違い窓１、すべり出し窓７０及び開き戸８０の三者においても、上記と同様の方法を適用して相互に交換することが可能となる。従って、既設の障子を交換しようとする要求に対しても容易に、かつ安価に対応することが可能となる。もちろん、図９及び図１０に示したすべり出し窓７０、図１１及び図１２に示した開き戸８０をそれぞれ補修する目的で同じ建具に交換することも可能である。尚、図９及び図１０に示したすべり出し窓７０、図１１及び図１２に示した開き戸８０において図１及び図２に示した引き違い窓１と同様の構成に関しては、同一の符号を付してそれぞれの詳細説明を省略している。
【符号の説明】
【００３８】
１，１′      引き違い窓
１０，１０′      開口枠
１１，１２，１３，１３′      枠部材
１４      取付片
１４ＢＴ      締結部分
１４ＮＴ      新たな引き違い窓の取付片
１４ａ      第１締結指示部
１４ｂ      取外切断指示部
１４ｃ      第２締結指示部
１４ｄ      収容切断指示部
２０      ガラス窓
３０（３１，３２，３３）      躯体
４０      取付ネジ
４１      取付ネジ
５０      外壁部材
５２      外壁部材の開口
７０      すべり出し窓
７１，８１      開口枠
８０      開き戸
【図１】
2010203072.tif 000003
【図２】
2010203072.tif 000004
【図３】
2010203072.tif 000005
【図４】
2010203072.tif 000006
【図５】
2010203072.tif 000007
【図６】
2010203072.tif 000008
【図７】
2010203072.tif 000009
【図８】
2010203072.tif 000010
【図９】
2010203072.tif 000011
【図１０】
2010203072.tif 000012
【図１１】
2010203072.tif 000013
【図１２】
2010203072.tif 000014